(57)【要約】【課題】路側装置１５は、ＤＳＲＣエリアに進入したＩＴＳ車載器１７に対し、嗜好データテーブル等の通信規格を利用しつつ、嗜好データに係る施設とは無関係の駐車場の情報を進入のたびに繰り返し配信することを有効に実施する。【解決手段】Ｓ６０では、ＩＴＳ車載器１７からのダウンリンク情報の会員情報が駐車場ＩＤであるか否かを判定し、正であれば、Ｓ６１へ進む。Ｓ６１では、情報グループにおいて、ＩＤ＝４０の詳細情報１（〜８）のコピーコントロールフラグに１を、情報内容フラグに１を、情報詳細本体に駐車場ＩＤを、指定するとともに、ＩＤ＝該方法５０，５１（場合によりＩＤ＝５２も）に駐車場ＩＤに対応する駐車場情報を指定する。Ｓ６２では、ダウンリンク情報を送信する。該ダウンリンク情報を受信したＩＴＳ車載器１７は、アップリンク情報の会員情報にＩＤ＝４０の駐車場ＩＤをコピーしたアップリンク情報を次の進入時に送信する。【選択図】図１２
2010238175.tif 000002
【特許請求の範囲】
【請求項１】
所定の無線通信エリア内に進入している車載装置に対し、該車載装置からアップリンク情報を無線で受信するとともに、前記車載装置へダウンリンク情報を無線で送信する路側装置であって、
アップリンク情報を受信する受信手段、
前記受信手段が受信したアップリンク情報に対し、該アップリンク情報の所定欄における駐車場識別情報の有無を調べ駐車場識別情報が有れば該駐車場識別情報を抽出する駐車場識別情報抽出手段、
前記駐車場識別情報抽出手段が抽出した駐車場識別情報に対し、該駐車場識別情報自体と、該駐車場識別情報の駐車場情報と、前記車載装置におけるアップリンク情報の所定欄への該駐車場識別情報の複製制御情報とを含むダウンリンク情報を生成するダウンリンク情報生成手段、及び
前記生成したダウンリンク情報を前記所定の無線通信エリア内の車載装置へ送信する送信手段、
を備えることを路側装置。
【請求項２】
前記アップリンク情報における前記所定欄は特典情報コピー欄であり、
前記駐車場識別情報抽出手段は、特典情報コピー欄の情報を駐車場識別情報として抽出し、
前記ダウンリンク情報生成手段は、前記駐車場識別情報抽出手段が抽出した駐車場識別情報に対し、前記車載装置におけるアップリンク情報の特典情報コピー欄への該駐車場識別情報の複製制御情報を含むダウンリンク情報を生成することを特徴とする請求項１記載の路側装置。
【請求項３】
前記ダウンリンク情報は、複数の分類情報を１つのグループとする情報グループ単位で送信され、
前記情報グループ単位には、該ダウンリンク情報に必ず含ませる必須分類情報と、任意に含ませる任意分類情報とがあり、
前記任意分類情報には、駐車場の動的情報を含む情報を指定する第１の任意分類情報と駐車場の静的情報のみを指定する第２の任意分類情報とが別々に存在し、
前記ダウンリンク情報生成手段は、前記駐車場識別情報抽出手段が抽出した駐車場識別情報に対し、該駐車場識別情報の駐車場情報を第１及び第２の任意分類情報の両方に指定することを特徴とする請求項１又は２記載の路側装置。
【請求項４】
所定の無線通信エリア内に進入するのに伴い、該路側装置へのアップリンク情報を無線で送信するとともに、前記路側装置からダウンリンク情報を無線で受信する車載装置であって、
所定欄に駐車場識別情報を指定したアップリンク情報を、所定の無線通信エリアへの進入に伴い送信する送信手段、
前記駐車場識別情報と、該駐車場識別情報の駐車場情報と、アップリンク情報の所定欄への該駐車場識別情報の複製制御情報とを含むダウンリンク情報を受信する受信手段、
前記駐車場識別情報の駐車場情報をその提示要求時にユーザに提示する駐車場情報提示手段、及び
ダウンリンク情報の複製制御情報が複製実施である場合には該ダウンリンク情報の前記駐車場識別情報を所定欄に複製したアップリンク情報を、所定の無線通信エリアへの次回の進入時の送信用に、生成するアップリンク情報生成手段、
を備えることを特徴とする車載装置。
【請求項５】
前記所定の駐車場識別情報は、ダウンリンク情報において買物に係る特典情報を指定する特典情報欄に指定されており、
前記所定欄は特典情報コピー欄であり、
前記アップリンク情報生成手段は、ダウンリンク情報の複製制御情報が複製実施である場合には前記クーポン情報欄の情報を前記特典情報コピー欄に複製したアップリンク情報を生成することを特徴とする請求項４記載の車載装置。
【請求項６】
前記ダウンリンク情報は、複数の分類情報を１つのグループとする情報グループ単位で送信され、
前記情報グループ単位には、該ダウンリンク情報に必ず含ませる必須分類情報と、任意に含ませる任意分類情報とがあり、
前記任意分類情報には、駐車場の動的情報を含む情報を指定する第１の任意分類情報と駐車場の静的情報のみを指定する第２の任意分類情報とが別々に存在し、
前記駐車場情報提示手段は、第２の任意分類情報の駐車場の静的情報に基づき自機の駐車場データベースを更新してから、更新後の駐車場データベースと第１の任意分類情報の駐車場の動的情報とに基づき駐車場識別情報の駐車場情報を提示することを特徴とする請求項４又は５記載の路側装置。
【請求項７】
無線通信により相互に接続された請求項１〜３のいずれかに記載の路側装置と、請求項４〜６のいずれかに記載の車載装置とを備えることを特徴とする路車間無線通信システム。
【請求項８】
所定の無線通信エリア内に進入している車載装置に対し、該車載装置からアップリンク情報を無線で受信するとともに、前記車載装置へダウンリンク情報を無線で送信する路側装置の制御方法であって、
アップリンク情報を受信する受信ステップ、
前記受信ステップにおいて受信したアップリンク情報に対し、該アップリンク情報のコピー欄における駐車場識別情報の有無を調べ駐車場識別情報が有れば該駐車場識別情報を抽出する駐車場識別情報抽出ステップ、
前記駐車場識別情報抽出ステップにおいて抽出した駐車場識別情報に対し、該駐車場識別情報自体と、該駐車場識別情報の駐車場情報と、前記車載装置におけるアップリンク情報の所定欄への該駐車場識別情報の複製制御情報とを含むダウンリンク情報を生成するダウンリンク情報生成ステップ、及び
前記生成したダウンリンク情報を前記所定の無線通信エリア内の車載装置へ送信する送信ステップ、
を備えることを路側装置制御方法。
【請求項９】
所定の無線通信エリア内に進入するのに伴い、該路側装置へのアップリンク情報を無線で送信するとともに、前記路側装置からダウンリンク情報を無線で受信する車載装置の制御方法であって、
所定欄に駐車場識別情報を指定したアップリンク情報を、所定の無線通信エリアへの進入に伴い送信する送信ステップ、
前記駐車場識別情報と、該所定の駐車場識別情報の駐車場情報と、アップリンク情報の所定欄への該駐車場識別情報の複製制御情報とを含むダウンリンク情報を受信する受信ステップ、
前記駐車場識別情報の駐車場情報をその提示要求時にユーザに提示する駐車場情報提示ステップ、及び
ダウンリンク情報の複製制御情報が複製実施である場合には該ダウンリンク情報の前記所定の駐車場識別情報を所定欄に複製したアップリンク情報を、所定の無線通信エリアへの次回の進入時の送信用に、生成するアップリンク情報生成ステップ、
を備えることを特徴とする車載装置制御方法。
【請求項１０】
請求項１〜３のいずれかに記載の路側装置の各手段としてコンピュータを機能させるプログラム。
【請求項１１】
請求項４〜６のいずれかに記載の車載装置の各手段としてコンピュータを機能させるプログラム。
【発明の詳細な説明】
【技術分野】
【０００１】
本発明は、ＤＳＲＣ（Dedicated Short Range Communication：狭域通信）等の路車間通信を利用する路側装置、車載装置、路車間無線通信システム、方法及びプログラムに関するものである。
【背景技術】
【０００２】
特許文献１は、ＤＶＤ−ＲＯＭドライブのＣＤ−ＲＯＭやＤＶＤ−ＲＯＭから地図データを取得し（特許文献１の段落００１７）、該地図データに基づきユーザに駐車場情報（特許文献１の図４（ｂ））を提示するナビゲーション装置を開示する。該地図データの構造では、各地点情報に対して施設名称、緯度・経度及び駐車場情報等が対応付けられており（特許文献１の図２）、ユーザが所定の施設を選択すると、該施設の専用又は提携の駐車場の有無を地図データに基づき調べ、見つかれば、その駐車場リストを表示する（特許文献１の図３のＳ１０２ＹＥＳ→・・・→Ｓ１０５）。
【０００３】
特許文献２は、ＤＳＲＣにより路上機から情報を受信するＤＳＲＣ車載器を開示する（特許文献２の段落０００８及び図１）。該ＤＳＲＣ車載器は、路上機から受信した情報に対し、そのデータ量とメモリの可能記憶量とを対比し、格納可能であれば、格納し、格納不可能であれば、メモリ内の最古の情報を削除してから格納するようにしている（特許文献１の図２のＳ１０５〜Ｓ１１０）。
【先行技術文献】
【特許文献】
【０００４】
【特許文献１】特開２００２−３２３３３２号公報
【特許文献２】特開２００７−１０９０３２号公報
【発明の概要】
【発明が解決しようとする課題】
【０００５】
所定の路車間データ伝送形式のデータは、基本的には５．８ＧＨｚ帯ＤＳＲＣにおける個別通信によるプッシュ型情報配信方式で配信され、これにより、路側装置は通信エリア内のＩＴＳ（Intelligent Transport System：高度道路交通システム） 車載器に対して、ＩＴＳ車載器の特性やユーザ（乗員）の嗜好に合わせた様々なコンテンツを配信することが可能となっている。
【０００６】
該所定の路車間データ伝送形式における路側装置からＩＴＳ車載器への合理的な情報配信を実現するために、ダウンリンク情報に嗜好データテーブルの情報を含ませるとともに、アップリンク情報に、該嗜好データテーブルに対するユーザ回答としての嗜好データを含ませ、車載装置側は該嗜好データを反映した情報に絞り込んで、情報を配信することが考えられている。
【０００７】
車載装置からの嗜好データを利用した情報配信では、ユーザの嗜好に対応付けた施設、その駐車場及び提携駐車場の情報をダウンリンク情報に含ませることができるようになっている。該配信の規格では、また、施設の駐車場及び提携駐車場とは無関係の駐車場の動的情報及び静的情報をダウンリンク情報に任意に含めることができるようになっているが、施設とは無関係の駐車場であってユーザに有益となる駐車場を具体的に選定することが望まれる。
【０００８】
これに対して、路側装置側の情報提供者及び／又は車載装置側のユーザは、ユーザ登録の嗜好データとは関係のない駐車場について、その情報を、車載装置が路側装置のＤＳＲＣエリアに進入するたびに、繰り返し、配信又は取得したいことがある。
【０００９】
特許文献１は、ナビゲーション装置において、ユーザが選択した施設に対して、その専用又は提携の駐車場の情報をユーザに配信することは開示するものの、駐車場情報は路側装置から配信されたものではなく、自己装備の駐車場データベースから検索するものとなっている。また、特許文献１は、嗜好データテーブルの規格等を利用して、ユーザ嗜好に基づく施設とは無関係の駐車場の情報を、ユーザの車載装置が無線通信エリアへ進入するたびに、繰り返し配信する有効な手立てについては言及も示唆もしていない。
【００１０】
特許文献２は、ＤＳＲＣを利用して路側装置から車載装置への情報配信を開示するものの、嗜好データテーブルの規格等を利用して、ユーザ嗜好に基づく施設とは無関係の駐車場の情報を、ユーザの車載装置が無線通信エリアへ進入するたびに、繰り返し配信する有効な手立てについては言及も示唆もしていない。
【００１１】
本発明の目的は、嗜好データテーブル等の通信規格を利用しつつ、嗜好データに係る施設の駐車場及び提携駐車場とは無関係の駐車場を、ユーザの車載装置が路側装置の無線通信エリアに進入するたびに、繰り返し配信することを有効に実施することができる路側装置、車載装置、路車間無線通信システム、方法及びプログラムを提供することである。
【課題を解決するための手段】
【００１２】
本発明によれば、アップリンク情報における所定欄（例：図９のタグ１の会員情報１〜８）及びダウンリンク情報における複製制御情報（例：図５のＩＤ＝４０の詳細情報制御情報１〜８）を利用する。該複製制御情報は、車載装置が、そのアップリンク情報を生成する際に、該アップリンク情報の所定欄への駐車場識別情報の複製を制御する際に参照するダウンリンク情報に路側装置が指定するものである。路側装置は、アップリンク情報の複製欄に駐車場識別情報が有れば、該駐車場識別情報自体と、該駐車場識別情報の駐車場の情報と、複製実施の複製制御情報とを含むダウンリンク情報を生成して、該駐車場識別情報を、無線通信エリアへ進入した車載装置へ配信する。
【００１３】
これに対し、車載装置は、ダウンリンク情報から駐車場識別情報と、該駐車場識別情報の駐車場情報と、アップリンク情報の複製欄への該駐車場識別情報の複製制御情報とを抽出し、駐車場識別情報の駐車場情報をその提示要求時にユーザに提示する。該車載装置は、また、複製制御情報が複製実施である場合には、該ダウンリンク情報の駐車場識別情報を複製欄に複製したアップリンク情報を生成し、該アップリンク情報を所定の無線通信エリアへの次回の進入時に、送信する。
【００１４】
本発明の路側装置は、所定の無線通信エリア内に進入している車載装置に対し、該車載装置からアップリンク情報を無線で受信するとともに、前記車載装置へダウンリンク情報を無線で送信する。本発明の路側装置は次のものを備える。
アップリンク情報を受信する受信手段、
前記受信手段が受信したアップリンク情報に対し、該アップリンク情報の所定欄における駐車場識別情報の有無を調べ駐車場識別情報が有れば該駐車場識別情報を抽出する駐車場識別情報抽出手段、
前記駐車場識別情報抽出手段が抽出した駐車場識別情報に対し、該駐車場識別情報自体と、該駐車場識別情報の駐車場情報と、前記車載装置におけるアップリンク情報の所定欄への該駐車場識別情報の複製制御情報とを含むダウンリンク情報を生成するダウンリンク情報生成手段、及び
前記生成したダウンリンク情報を前記所定の無線通信エリア内の車載装置へ送信する送信手段。
【００１５】
本発明の車載装置は、所定の無線通信エリア内に進入するのに伴い、該路側装置へのアップリンク情報を無線で送信するとともに、前記路側装置からダウンリンク情報を無線で受信する。本発明の車載装置は次のものを備える。
所定欄に駐車場識別情報を指定したアップリンク情報を、所定の無線通信エリアへの進入に伴い送信する送信手段、
前記駐車場識別情報と、該駐車場識別情報の駐車場情報と、アップリンク情報の所定欄への該駐車場識別情報の複製制御情報とを含むダウンリンク情報を受信する受信手段、
前記駐車場識別情報の駐車場情報をその提示要求時にユーザに提示する駐車場情報提示手段、及び
ダウンリンク情報の複製制御情報が複製実施である場合には該ダウンリンク情報の前記駐車場識別情報を所定欄に複製したアップリンク情報を、所定の無線通信エリアへの次回の進入時の送信用に、生成するアップリンク情報生成手段。
【００１６】
本発明の路車間無線通信システムは、無線通信（例：ＤＳＲＣ）により相互に接続された前述の路側装置及び車載装置を備える。
【００１７】
本発明の路側装置制御方法は、所定の無線通信エリア内に進入している車載装置に対し、該車載装置からアップリンク情報を無線で受信するとともに、前記車載装置へダウンリンク情報を無線で送信する路側装置の制御方法であって、次のステップを備える。
所定の無線通信エリア内に進入している車載装置に対し、該車載装置からアップリンク情報を無線で受信するとともに、前記車載装置へダウンリンク情報を無線で送信する路側装置の制御方法であって、次のステップを備える。
アップリンク情報を受信する受信ステップ、
前記受信ステップにおいて受信したアップリンク情報に対し、該アップリンク情報のコピー欄における駐車場識別情報の有無を調べ駐車場識別情報が有れば該駐車場識別情報を抽出する駐車場識別情報抽出ステップ、
前記駐車場識別情報抽出ステップにおいて抽出した駐車場識別情報に対し、該駐車場識別情報自体と、該駐車場識別情報の駐車場情報と、前記車載装置におけるアップリンク情報の所定欄への該駐車場識別情報の複製制御情報とを含むダウンリンク情報を生成するダウンリンク情報生成ステップ、及び
前記生成したダウンリンク情報を前記所定の無線通信エリア内の車載装置へ送信する送信ステップ。
【００１８】
本発明の車載装置制御方法は、所定の無線通信エリア内に進入するのに伴い、該路側装置へのアップリンク情報を無線で送信するとともに、前記路側装置からダウンリンク情報を無線で受信する車載装置の制御方法であって、次のステップを備える。
所定欄に駐車場識別情報を指定したアップリンク情報を、所定の無線通信エリアへの進入に伴い送信する送信ステップ、
前記駐車場識別情報と、該所定の駐車場識別情報の駐車場情報と、アップリンク情報の所定欄への該駐車場識別情報の複製制御情報とを含むダウンリンク情報を受信する受信ステップ、
前記駐車場識別情報の駐車場情報をその提示要求時にユーザに提示する駐車場情報提示ステップ、及び
ダウンリンク情報の複製制御情報が複製実施である場合には該ダウンリンク情報の前記所定の駐車場識別情報を所定欄に複製したアップリンク情報を、所定の無線通信エリアへの次回の進入時の送信用に、生成するアップリンク情報生成ステップ。
【００１９】
本発明のプログラムは、前述の路側装置の各手段としてコンピュータを機能させる。本発明のプログラムは、また、前述の車載装置の各手段としてコンピュータを機能させる。
【発明の効果】
【００２０】
本発明によれば、アップリンク情報における複製欄及びダウンリンク情報における複製制御情報を利用して、車載装置に対し、それが無線通信エリアに進入するたびに、嗜好データに係る施設の駐車場及び提携駐車場とは無関係の駐車場であってユーザにとり情報取得が有益となる駐車場の情報を繰り返し、有効に配信することができる。
【図面の簡単な説明】
【００２１】
【図１】所定の路車間データ伝送形式のデータに基づく路車間ＤＳＲＣシステムの概略図である。
【図２】所定の路車間データ伝送形式におけるデータ伝送態様の説明図である。
【図３】情報グループの構成について各ＩＤが必須か任意かを示す図である。
【図４】ダウンリンクで使用する各ＩＤに割り当てる分類表の第１の部分である。
【図５】ダウンリンクで使用する各ＩＤに割り当てる分類表の第２の部分である。
【図６】ダウンリンクで使用する各ＩＤに割り当てる分類表の第３の部分である。
【図７】ダウンリンクで使用する各ＩＤに割り当てる分類表の第４の部分である。
【図８】路側装置路側装置−ＩＴＳ車載器間のトランザクションで実施される各機器間の通信及び処理を示す図である。
【００２２】
【図９】ＩＴＳ車載器から路側装置路側装置へ送られるアップリンク情報のデータ説明図である。
【図１０】嗜好データの一例をテーブル表現した説明図である。
【図１１】路側装置路側装置から嗜好データを受信したＩＴＳ車載器がナビ部の表示器に表示するチェック付けの画面の一例である。
【図１２】コピー用駐車場ＩＤ付きダウンリンク情報送信方法のフローチャートである
【図１３】駐車場ＩＤコピー付きアップリンク情報送信方法のフローチャートである
【図１４】路車間無線通信システムのブロック図である。
【図１５】路側装置制御方法のフローチャートである。
【図１６】車載装置制御方法のフローチャートである。
【発明を実施するための形態】
【００２３】
図１は所定の路車間データ伝送形式のデータに基づく路車間ＤＳＲＣシステム１０の概略図である。路側機１１は、サーバ１２と共に路側装置１５を構成し、有線又は無線でサーバ１２へ接続されている。サーバ１２は、さらに、インターネット等のネットワークを介して別のサーバとデータを送受自在になっている。路側機１１は、直径がほぼ数ｍ〜３０ｍのエリアに存在する自動車１３に搭載されているＩＴＳ車載器１７とは５．８ＧＨｚ 帯の電波を使ってデータを送受する。ＩＴＳ車載器１７はＤＳＲＣ部１８及びナビ部１９を有している。
【００２４】
図２は所定の路車間データ伝送形式におけるデータ伝送態様の説明図である。マルチコンテンツ形式のダウンリンクでは、データをその種類に応じて分類し、分類ごとにＩＤコード"００"，"０１"，"０２"，〜を割り振っている。マルチコンテンツ形式のデータ伝送では、データが情報グループを単位に括られ、各情報グループは先頭にＩＤ＝"００"の分類データをもつ。ＩＤ＝"００"の分類データは、その情報グループに含まれているＩＤにはどのようなものがあるかを示す構成情報となっている。
【００２５】
図３は情報グループの構成について各ＩＤが必須か任意かを示す図である。ＩＤ＝００，０１，０２は、各情報グループに必ず含めなければならない。ＩＤ＝０３，０４，０５は、ＩＤ＝６０のみの情報提供の場合には情報グループに含める必要はないが、その他の情報提供の場合には、情報グループに必ず含める必要がある。その他のＩＤは情報グループに含めるか否かは任意である。
【００２６】
図４〜図７はダウンリンクで使用する各ＩＤに割り当てる分類表である。ＩＤ＝００は構成ＩＤ情報（各情報グループがどのようなＩＤを格納しているかを記述する領域）の分類となっている。ＩＤ＝０１は、事業者の分類となっており、サービス事業者コード（サービス事業者を特定できる事業者コード）、サービス事業者表示テキスト（ナビ表示用サービス事業社名(サービス名)テキスト情報）、及びサービス事業者表音文字列（ナビ発話用サービス事業社名(サービス名)表音文字列情報）を含む。
【００２７】
ＩＤ＝０２はコンテンツの分類となっており、企業コード（コンテンツの情報提供元を特定できるコード）、企業表示テキスト（ナビ表示用情報提供企業名テキスト情報）、企業表音文字列（ナビ発話用情報提供企業名表音文字列情報）、情報コード（コンテンツを特定できる情報コード）、情報表示テキスト（ナビ表示用コンテンツ内容テキスト情報）、情報表音文字列（ナビ発話用コンテンツ内容表音文字列情報）、及び嗜好データカテゴリー（情報が該当する情報カテゴリーを示すカテゴリーコード）を含む。
【００２８】
ＩＤ＝０３は、ＩＤ＝０２と同様に、コンテンツの分類となっており、即時再生／蓄積コード（受信後のコンテンツ再生動作を表すコード）、及び再生条件コード（情報提供エリアでのコンテンツ再生条件を示すコード）を含む。
【００２９】
ＩＤ＝０４は、有効期限の分類となっており、開始年月日時分秒（コンテンツの有効期限）、及び終了年月日時分秒（コンテンツの有効期限）を含む。ＩＤ＝０５は、提供時間の分類となっており、営業時間（コンテンツ提供元の営業時間）、及び情報提供時間（コンテンツ提供時間）を含む。
【００３０】
ＩＤ＝１０は、対象地点の分類となっており、対象地点座標（サービス提供可能な地点の緯度経度情報）、対象地点表示用テキスト（サービス名称(店舗名称等)）、提携駐車場情報（対象地点以外の提携駐車場情報）、アイコン表示画像データ（サービス提供可能な場所を表すアイコンのデータ）、表示用文字データ（サービスの説明用テキスト情報）、表示画像データ（サービスを表す静止画情報）、表音文字列データ（サービスを表す表音文字列情報）、圧縮音声データ（圧縮音声データ情報）、音声再生順（表音文字列と圧縮音声の再生順序を表す）、ビデオデータ（ビデオデータ情報）、及びＵＲＬ（サービスを表すＵＲＬ情報）を含む。
【００３１】
ＩＤ＝２０は、情報提供地点の分類となっており、計５個の情報提供地点について、情報提供中心座標（ポップアップ情報を再生する緯度経度情報）、情報提供エリア（ポップアップ情報を再生するエリアを定義する中心座標からの半径情報）、情報提供方向コード（ポップアップ情報を再生する情報提供方向情報）、情報提供道路種別（ポップアップ情報を再生する道路種別情報）、表示画像データ（ポップアップ再生する静止画のデータ）、表音文字列データ（ポップアップ再生する表音文字列情報、圧縮音声データポップアップ再生する圧縮音声のデータ）、及び音声再生順（ポップアップ再生する音声データの再生順番を表すコード）を含む。
【００３２】
ＩＤ＝３０は、遷移情報の分類となっており、計８個の次再生情報コード（画面遷移情報）を含む。ＩＤ＝４０は、詳細情報の分類となっており、計８個の各詳細情報について、表示用文字データ（ナビ表示用詳細情報テキスト情報）、及び発話用表音文字列（ナビ発話用詳細情報表音文字列情報）を含む。なお、図５のＩＤ＝４０において、「詳細情報１」と記載されている行について、「詳細情報１」を「詳細情報１表示用文字データ」に変更し、情報の内容を「表示用文字データナビ表示用詳細情報テキスト情報」を「ナビ表示用詳細情報テキスト情報」に変更すると、「詳細情報１発話用表音文字列」、「ナビ発話用詳細情報表音文字列情報」の行としても使用可能になる。
【００３３】
ＩＤ＝５０は、駐車場情報の分類となっており、１５個の各駐車場について、駐車場ＩＤ（駐車場を特定できるＩＤ）、詳細情報（駐車場の動的詳細情報）、及び特記事項（駐車場の特記事項）を含む。
【００３４】
ＩＤ＝５１は、ナビ部１９に格納されている駐車場の静的情報を３次メッシュ単位で最大４メッシュ分更新することが可能になる。ＩＤ＝５１は、３ 次メッシュ数（更新する駐車場静的情報を含む３ 次メッシュ数を通知するもの）、１〜４の各メッシュについて、３ 次メッシュコード（更新する駐車場静的情報を含む３ 次メッシュコード）、３ 次メッシュバージョン情報（更新する駐車場静的情報が含まれる３ 次メッシュのバージョン情報）、３ 次メッシュ駐車場数（更新するメッシュに含まれる駐車場静的情報数）、３ 次メッシュ駐車場静的情報（更新する駐車場の静的情報）を含む。
【００３５】
ＩＤ＝５２は削除駐車場ＩＤ情報である。メッシュ単位で駐車場情報をすべて（新設／削除）更新する場合はこの情報は用いない。ＩＤ＝５２は、３次メッシュ数（削除する駐車場ＩＤ情報を含む３次メッシュ数を通知するもの）、３次メッシュコード（削除する駐車場ＩＤ情報を含む３次メッシュコード）、３次メッシュバージョン情報（削除する駐車場ＩＤ情報が含まれる３次メッシュのバージョン情報；ＩＤ＝５１で同時に通知される静的情報のバージョンと同一のものとする）、３次メッシュ削除駐車場ＩＤ数（更新するメッシュに含まれる削除駐車場情報ＩＤ数）、及び３次メッシュ削除駐車場ＩＤ情報（削除する駐車場ＩＤ情報）を含む。
【００３６】
ＩＤ＝６０は、運転支援の分類であり、運転支援画像データ（運転支援画像情報）、運転支援表音文字列データ（運転支援表音文字列情報）、運転支援圧縮音声データ（運転支援圧縮音声情報）、及び音声再生順（表音文字列と圧縮音声の再生順序を表す）が含まれる。
【００３７】
ＩＤ＝８０は、嗜好データの分類であり、計１２７個の各嗜好データについて、嗜好データバージョン（嗜好データのテーブルのバージョン情報）、嗜好データ（嗜好データの表示用テキスト情報）、表音文字列（嗜好データの発話用表音文字列情報）、及び詳細情報（嗜好データの詳細情報）が含まれる。
【００３８】
図８は路側装置１５−ＩＴＳ車載器１７間のトランザクションで実施される各機器間の通信及び処理を示している。路側機１１及びサーバ１２は路側装置１５を構成する。ＩＴＳ車載器１７はＤＳＲＣ部１８及びナビ部１９を有している。時間順に説明する。なお、路側機１１−ＤＳＲＣ部１８間の通信はＤＳＲＣの電波で行われ、路側機１１−サーバ１２間及びＤＳＲＣ部１８−ナビ部１９間の通信は通常、ケーブルで行われる。
【００３９】
ＩＴＳ車載器１７において電源が投入されるのに伴い、Ｓ１０では、ナビ部１９からＤＳＲＣ部１８へクライアントインフォメーションデータが書き込まれる。ＩＴＳ車載器１７を搭載する自動車１３が路側機１１との通信可能な距離（例：約３０ｍ）の電波到達エリアに進入するのに伴い、Ｓ１１では、路側機１１−ＤＳＲＣ部１８間でＤＳＲＣ接続処理が実施される。
【００４０】
Ｓ１１のＤＳＲＣ接続処理が終了すると、Ｓ１２，Ｓ１３でＤＳＲＣ接続通知が行われる。Ｓ１２の接続通知は路側機１１からサーバ１２へのものであり、Ｓ１３の接続通知はＤＳＲＣ部１８からナビ部１９へのものである。Ｓ１４では、クライアントインフォメーションがＤＳＲＣ部１８から路側機１１を経てサーバ１２へ通知される。
【００４１】
サーバ１２は、ＤＳＲＣ部１８からのクライアントインフォメーション通知に基づきＩＴＳ車載器１７のユーザが会員か非会員かを判別したり、ＩＴＳ車載器１７でコンテンツを適正に再生するためのＩＴＳ車載器１７のハードウェア情報を知得する。Ｓ１８では、サーバ１２から路側機１１及びＤＳＲＣ部１８を経てナビ部１９へＷｅｌｃｏｍｅ画面等のコンテンツを送信する。該コンテンツはマルチコンテンツフォーマットで編成されている。ナビ部１９は、マルチコンテンツフォーマットからサービス事業者を判断する。
【００４２】
サーバ１２は、Ｓ１８後、ナビ部１９がアップリンク情報をＤＳＲＣ部１８に書き込むまで、Ｓ１９でＤＳＲＣ部１８に対して定期的にポーリングを行う。Ｓ２０では、ナビ部１９は、該サービス事業者の会員であれば、アップリンク情報をＤＳＲＣ部１８に書き込むのに対し、会員でなければ、何もしない。
【００４３】
Ｓ２４では、サーバ１２は、路側機１１及びＤＳＲＣ部１８を経由してデフォルトのコンテンツ（例：Ｗｅｌｃｏｍｅ画面）をナビ部１９へ送る。Ｓ２９では、サーバ１２は、ＤＳＲＣ部１８に対してメモリアクセスポーリングを実施する。これに対して、Ｓ３０では、ＤＳＲＣ部１８は、ユーザが会員であれば、アップリンク情報をサーバ１２へ通知する。
【００４４】
Ｓ３３では、サーバ１２は、アップリンク情報から取得した会員情報に基づき会員趣向に適した蓄積型コンテンツをマルチコンテンツフォーマット（図２）で編成してＩＴＳ車載器１７へ配信する。後述するように、路側装置１５は、Ｓ３３の期間中、蓄積型コンテンツの配信を１回以上、中断して、即時再生型コンテンツの配信を割込ませる。Ｓ３４では、蓄積型コンテンツの配信終了を通知する。ＩＴＳ車載器１７を搭載する自動車１３は、配信終了に伴い路側機１１との通信エリアから退出する。
【００４５】
図９はＩＴＳ車載器１７から路側装置１５へ送られるアップリンク情報のデータ説明図である。アップリンク情報は、複数のタグで送られる。タグ１には、サービス事業者コード、目的地（緯度経度）、経由地（緯度経度）１〜５、累計走行距離、嗜好ジャンルデータバージョン、嗜好ジャンルデータ、会員情報１〜８が含められる。タグ２には、過去立寄り地（緯度経度）１〜４１が含められる。タグ３には、過去立寄り地（緯度経度）４２〜８２が含められる。
【００４６】
タグ４には、受信／再生履歴（受信情報コード及び再生識別フラグ）１〜１２３が含められる。タグ５には、受信／再生履歴（受信情報コード及び再生識別フラグ）１２４〜２４６が含められる。
【００４７】
図１０はＩＤ＝８０の嗜好データの一例をテーブル表現した説明図である。嗜好データは、嗜好データ番号、嗜好データ表示用テキスト、嗜好データ表示用ネスト、嗜好データ対象識別子、嗜好データデフォルト値、表音文字列により構成される。嗜好データ番号は、０〜１２７ の最大、計１２８個存在し、サービス業者が各データ番号の項目を自由に設定することができる。１２８の項目の内、最大９６項目がＳ３０（図８）でＩＴＳ車載器１７から路側装置１５へアップリンク情報として通知される。
【００４８】
アップリンク情報として通知される９６項目中、１２ 項目は、公共情報提供サービス目的に利用され、ＤＳＲＣ通信において情報提供を行う際にはデフォルトで配信する情報項目となっている。図１０の嗜好データテーブルにおいて、表示用ネストは、各項目（図１０のデータ番号に対応する。）の階層を意味し、大きい数値ほど、下の階層を意味している。対象識別子は、それが"０"となっている項目は、ナビ部１９における嗜好データのチェック付け画面（後述の図１１）においてチェック対象となっていないことを意味し、それが"１"となっている項目は、該チェック付け画面においてチェック対象となっていることを意味する。デフォルト値は、それが"０"となっている項目は、チェック付けの初期画面にチェック無しで表示することを意味し、それが"１"となっている項目は、チェック付けの初期画面にチェック有りで表示することを意味する。
【００４９】
図１１は路側装置１５から嗜好データを受信したＩＴＳ車載器１７がナビ部１９の表示器に表示するチェック付けの画面の一例である。ユーザはスクロールバー２３をドラッグすることにより画面を上下方向へスクロールすることができる。図１１において、ユーザがオンボタンをクリックすると、チェックを付けたことになり、オフボタンをクリックすると、チェックを外したことになる。各項目において、"オン"及び"オフ"の内、が斜体になっている方をユーザが選択したことを意味している。
【００５０】
路車間ＤＳＲＣシステム１０における路側装置１５からＩＴＳ車載器１７への駐車場情報の配信は、ＩＤ＝１０（図４）を使用する場合と、ＩＤ＝５０，５１及び／又は５２（図６及び図７）を使用する場合がある。ＩＤ＝１０における駐車場情報の指定は、嗜好データに対応付けられた施設の駐車場及び提携駐車場の情報の配信に利用するものであり、詳説すると、次の（ａ１）及び（ａ２）のとおりである。
【００５１】
（ａ１）ＩＤ＝１０の対象地点情報の分類の対象地点座標を使用する場合：該対象地点座標には、対象地点としての施設が駐車場を有しない場合には、該施設の中心位置の緯度・経度を指定するが、該施設が駐車場を有する場合は、該対象地点座標の欄は駐車場の入口の緯度・経度を指定する。
【００５２】
（ａ２）ＩＤ＝１０の対象地点情報の分類の提携駐車場情報を使用する場合；該提携駐車場情報には、対象地点の施設の提携駐車場のＩＤを記入する。路側装置１５は、全国の対象地点についての駐車場データベースを保有し、該駐車場データベースに基づき駐車場ＩＤから該当の駐車場についての静的情報情報（場所、名称、料金、営業時間等）を把握することができるようになっている。駐車場ＩＤとは、都道府県・市区町村コード(ＪＩＳ準拠)：５桁＋地区コード(市区町村が必要時に付加)：１桁＋駐車場種別コード：１桁＋事業者コード：３桁＋シーケンシャルコード：６桁＋枝番：１桁の合計１７桁で構成されており、全国規模でユニークなものになっている。
【００５３】
ＩＤ＝５０，５１及び／又は５２（図６及び図７）における駐車場情報の指定では、嗜好データに対応付けられた施設の駐車場及び提携駐車場とは無関係の任意の駐車場の情報を指定することができる。路側装置１５は、ＩＤ＝５０，５１及び／又は５２を利用して、所定の駐車場の情報を、ＩＴＳ車載器１７がＤＳＲＣエリアに進入するたびに、繰り返し配信する。以下に、これらＩＤによる駐車場情報の配信について詳説する。
【００５４】
ＩＤ＝５０の駐車場情報の分類（図６）では、路側装置１５は、最大１５個の駐車場についてその動的情報（入口別車種別満空情報、営業時間、初期料金、追加料金及び入口別車種別満空情報）を指定することができるようになっている。
【００５５】
ＩＤ＝５１の駐車場追加更新情報の分類（図６）では、路側装置１５は、最大４個の３次メッシュを指定することができる。各３次メッシュには、最大５１１個の駐車場についてその静的情報（入口の緯度・経度、駐車場の名称、収容台数、車両制限（車高制限、車幅制限、車長制限）、入庫可能時間、出庫可能時間、定休日等）を指定することができる。
【００５６】
ＩＤ＝５２の削除駐車場ＩＤ情報の分類（図７）では、路側装置１５は、最大４個の３次メッシュを指定することができる。各３次メッシュには、最大６３個までの削除する駐車場についてそのＩＤを指定することができる。ＩＤ＝５２はＩＤ＝５１と併用される。すなわち、ＩＴＳ車載器１７における駐車場データベースにおいて所定の３次メッシュ内の駐車場情報を全面的に変更する場合には、ＩＤ＝５１のみを使用し、ＩＤ＝５２は使用しない。これに対し、ＩＴＳ車載器１７における駐車場データベースにおいて所定の３次メッシュ内の駐車場情報を差分情報で更新する場合には、ＩＤ＝５１には追加の駐車場の情報を指定し、ＩＤ＝５２は削除の駐車場の情報のＩＤを指定する。なお、駐車場情報について全面変更か差分変更かを示すフラグを情報グループ内に用意することもできる。
【００５７】
ＩＤ＝５０だけでなく、ＩＤ＝５１による駐車場情報の配信、又はＩＤ＝５１及びＩＤ＝５２の両方による駐車場情報の配信を併用する。なぜならば、ＩＴＳ車載器１７の駐車場データベースのデータが古くなっていることがあり、すなわち駐車場について新設、廃止又は場所変更等が行われていることがあるので、これに対処して、ＩＤ＝５１等により駐車場情報を配信して、ＩＴＳ車載器１７に駐車場データベースの駐車場情報を更新し、更新後の駐車場データベースに基づきＩＤ＝５０の動的情報をユーザに提示するようにして、提示情報の正確性を保証するためである。
【００５８】
図１２はコピー用駐車場ＩＤ付きダウンリンク情報送信方法５０のフローチャートである。該方法５０は路側装置１５のサーバ１２において実行される。該方法５０は例えば一定時間ごとに実行される。Ｓ５１では、ＩＴＳ車載器１７がＤＳＲＣエリアに進入したか否かを判定し、判定が正であれば、Ｓ５２へ進み、否であれば、該方法５０を終了する。ＩＴＳ車載器１７がＤＳＲＣエリアに進入したことは、路側装置１５が、ＩＴＳ車載器１７からの所定のデータ入り電波を受信することにより検出することができる。
【００５９】
Ｓ５２では、ＩＴＳ車載器１７との接続処理を行う。Ｓ５３では、ＩＴＳ車載器１７のユーザが路側装置１５の情報提供者（例：図４のＩＤ＝０１におけるサービス事業者又はＩＤ＝０２における情報提供企業）の会員であるか非会員であるかを判定し、会員であれば、Ｓ５４へ進み、非会員であれば、該方法５０を終了する。
【００６０】
Ｓ５４では、ＩＴＳ車載器１７に対しアップリンク情報の送信を要求する。Ｓ５５では、アップリンク情報を受信したか否かを判定し、受信しだい、Ｓ６０へ進む。なお、Ｓ５５で受信するアップリンク情報は、ＩＴＳ車載器１７のユーザの嗜好データ（図１１）を包含する。
【００６１】
Ｓ６０では、アップリンク情報の会員情報は駐車場ＩＤであるか否かを判定し、判定が正であれば、Ｓ６１へ進み、否であれば、Ｓ６２へ進む。
【００６２】
Ｓ６１では、情報グループにおいて、ＩＤ＝４０の詳細情報１（〜８）のコピーコントロールフラグに１を、情報内容フラグに１を、情報詳細本体に駐車場ＩＤを、指定するとともに、ＩＤ＝該方法５０，５１（場合によりＩＤ＝５２も）に駐車場ＩＤに対応する駐車場情報を指定する。
【００６３】
ここで、情報グループのＩＤ＝４０（図５）に詳説する。概略を前述したように、ＩＤ＝４０は、詳細情報の分類となっており、詳細情報１〜８の計８個までの詳細情報を指定することができるようになっている。それらを代表して、詳細情報１について説明する。詳細情報１は、さらに、制御情報、詳細情報本体１、表示用テキスト情報量、表示用文字データ、表音文字列の下位分類に分類される。
【００６４】
該制御情報は、さらに、コピーコントロールフラグ及び情報内容フラグの下位分類をもつ。コピーコントロールフラグ＝"１"でかつ情報内容フラグ＝"１"ある場合は、これを含む情報グループをＩＴＳ車載器１７が受信すると、該ＩＴＳ車載器１７は、詳細情報本体１のデータをアップリンク情報のタグ１の会員情報１（図９）にコピーする。
【００６５】
ＩＤ＝４０の詳細情報本体１は、クーポン情報を指定することが通常、考えられているものである。そして、コピーコントロールフラグ＝"１"でかつ情報内容フラグ＝"１"とするとともに、詳細情報本体１（詳細情報本体２〜８でも可）にクーポン情報を指定した情報グループをＩＴＳ車載器１７に配信すると、ＩＴＳ車載器１７は、詳細情報本体１のクーポン情報をタグ１の会員情報１にコピーしたアップリンク情報を生成して、次のＤＳＲＣエリア進入時に該アップリンク情報を送信するようにしている。路側装置１５は、これに対し、例えばポイント加算や割引等の優待販売を実施する。
【００６６】
図１２に戻って、Ｓ６１では、詳細情報本体に駐車場ＩＤを指定するので、該詳細情報本体を含む情報グループを受信したＩＴＳ車載器１７は、会員情報に駐車場ＩＤをコピーすることになる。
【００６７】
Ｓ６２では、Ｓ５５で受信した嗜好データに基づき情報グループを生成する。該情報グループはダウンリンク情報を構成する。なお、Ｓ６１において情報グループの所定のＩＤについて指定がある場合には、Ｓ６２の生成情報グループに該指定を含ませる。Ｓ６３では、生成した情報グループをダウンリンク情報として送信する。
【００６８】
図１３は駐車場ＩＤコピー付きアップリンク情報送信方法７０のフローチャートである。該方法７０はＩＴＳ車載器１７において実行される。該方法７０は例えば一定時間ごとに実行される。Ｓ７１では、ＩＴＳ車載器１７がＤＳＲＣエリアに進入したか否かを判定し、判定が正であれば、Ｓ７２へ進み、否であれば、該方法７０を終了する。ＩＴＳ車載器１７がＤＳＲＣエリアに進入したことは、ＩＴＳ車載器１７が、路側装置１５からの所定のデータ入り電波を受信することにより検出することができる。
【００６９】
Ｓ７２では、路側装置１５との接続処理を行う。Ｓ７３では、自機（ＩＴＳ車載器１７）が路側装置１５の情報提供者の会員として認証であるか非認証であるかを判定し、認証であれば、Ｓ７４へ進み、非認証であれば、該方法７０を終了する。
【００７０】
Ｓ７４では、路側装置１５からアップリンク情報の要求を受信したか否かを判定し、受信しだい、Ｓ７５へ進む。Ｓ７５では。アップリンク情報を送信する。なお、Ｓ７５で送信するアップリンク情報は、ＩＴＳ車載器１７のユーザの嗜好データ（図１１）を含む。
【００７１】
Ｓ７６では、ダウンリンク情報を受信したか否かを判定し、受信しだい、Ｓ７７へ進む。該ダウンリンク情報は情報グループでもある。
【００７２】
Ｓ７７では、ダウンリンク情報のコンテンツを直ちに再生するか、又は記憶装置に記憶する。記憶装置に記憶したコンテンツは、後の再生指示時に読み出されて、再生される。
【００７３】
Ｓ８０では、Ｓ７６で受信した情報グループに対し、そのＩＤ＝４０の詳細情報１（〜８）のコピーコントロールフラグ＝"１"でかつ情報内容フラグ＝"１"であるか否かを判定し、判定が正であれば、Ｓ８１へ進み、否であれば、Ｓ８１をスキップして、Ｓ８２へ進む。
【００７４】
Ｓ８１では、嗜好データのタグ１の会員情報（図９）に情報グループのＩＤ＝４０の情報本体のデータをコピーする。Ｓ８２では、嗜好データを含むアップリンク情報を送信する。なお、Ｓ８２で送信するアップリンク情報は、Ｓ８１でコピーしたデータは含まない。
【００７５】
該方法５０及び該方法７０の実行により、ＩＴＳ車載器１７のユーザは、嗜好データ（図９のタグ１の嗜好ジャンルデータ）に対応付けられた施設の駐車場及び提携駐車場とは無関係の駐車場の情報を、路側装置１５のＤＳＲＣエリアに進入するたびに、繰り返し、入手することができる。また、路側装置１５の情報提供者は、嗜好データに対応付けられた施設の駐車場及び提携駐車場とは無関係の駐車場の情報を、自機のＤＳＲＣエリアにＩＴＳ車載器１７が進入するたびに、繰り返し、配信することができる。
【００７６】
情報の配信及び入手が繰り返される所定の駐車場（以下、「選定駐車場」という。）の具体例について説明する。ユーザが選定駐車場を決める場合には、契約時に自分が配信を希望する駐車場をｗｅｂページや電話等のＩＴＳ車載器１７以外の手段により情報提供者へ申告し、情報提供者が該ユーザ用に登録する。また、ユーザは、アップリンク情報の「会員情報」に情報の配信希望の駐車場情報のＩＤを手入力して、ＩＴＳ車載器１７を使用して、選定駐車場を登録する。この登録は、情報グループのＩＤ＝４０の詳細情報１（〜８）の詳細情報本体にと指定するものであり、該ユーザ宛ての最初の情報グループに対して一度だけ行うものである。以降は、この登録に係る駐車場ＩＤが、該情報提供者の路側装置１５からのダウンリンク情報と該ユーザのＩＴＳ車載器１７からアップリンク情報との間で循環して、保持されることになる。
【００７７】
情報提供者が選定駐車場を決める場合には、情報提供者は、例えば、自分が管理している駐車場で利用率の悪い駐車場や、ＩＴＳ車載器１７のユーザの走行履歴（図９のタグ２，３の過去立寄り地）に基づき、ユーザが駐車していない駐車場の中のお勧め駐車場を選定駐車場にすることができる。
【００７８】
ユーザのＩＴＳ車載器１７が同一の選定駐車場の情報を含むダウンリンク情報を、進入のつど繰り返し受信するＤＳＲＣエリアは、１つのＤＳＲＣエリアに限定されない。同一の情報提供者が、異なる複数の場所にＤＳＲＣエリアを提供している場合、それら複数の各ＤＳＲＣエリアにおいて、該ユーザに該選定駐車場の情報を配信することができる。あるいは、同一の情報提供者でなくても、提携関係にある異なる情報提供者が、各自のＤＳＲＣエリアにおいて、該ユーザに対して該選定駐車場の情報を配信するようになっていてもよい。複数のＤＳＲＣエリアより共通の駐車場ＩＤの駐車場情報が配信されることにより、例えば、ユーザは、所定の目的地へのドライブの途中、各立寄り地点のＤＳＲＣエリアにおいて該目的地の所定の駐車場の情報を繰り返し、取得することができる。
【００７９】
ユーザが選定駐車場の配信を停止する仕方の具体例を説明する。第１の例では、ユーザが電話やｗｅｂページ等を利用して、ユーザが配信停止の選定駐車場を情報提供者に通知する。第２の例では、ユーザは、アップリンク情報の「会員情報」に配信停止指示を手入力して、アップリンク情報により路側装置１５へ通知する。
【００８０】
情報提供者が選定駐車場の配信を停止するタイミングの具体例を説明する。第１の例では、その管理下にある複数の駐車場の内、特定の駐車場に利用が集中していて、その周辺が頻繁に渋滞している一方において、利用率の悪い駐車場が存在する場合に、情報提供者は低利用率の駐車場を選定駐車場にすることがあるが、該選定駐車場の利用率が高まってきて、特定の駐車場への集中的な利用が十分に緩和されてきた時、該選定駐車場の選定を解除する。あるいは、選定駐車場について、最初の配信時から所定期間が経過して、ユーザに十分周知されたと判断した時、該選定駐車場の選定を解除する。選定駐車場の解除は情報提供者自身が行う。
【００８１】
図１４は路車間無線通信システム９０のブロック図である。路車間無線通信システム９０は、無線通信（例：ＤＳＲＣ）で相互に接続された路側装置９１及び車載装置１００を備える。路車間無線通信システム９０の具体例は路車間ＤＳＲＣシステム１０（図１）である。路側装置９１及び車載装置１００の具体例はそれぞれ路側装置１５及びＩＴＳ車載器１７である。路側装置９１は、所定の無線通信エリア内に進入している車載装置１００に対し、該車載装置１００からアップリンク情報を無線で受信するとともに、車載装置１００へダウンリンク情報を無線で送信する。
【００８２】
路側装置９１は受信手段９２、駐車場識別情報抽出手段９３、ダウンリンク情報生成手段９４及び送信手段９５を備える。受信手段９２はアップリンク情報を受信する。駐車場識別情報抽出手段９３は、受信手段９２が受信したアップリンク情報に対し、該アップリンク情報の所定欄における駐車場識別情報の有無を調べ、駐車場識別情報が有れば該駐車場識別情報を抽出する。
【００８３】
ダウンリンク情報生成手段９４は、駐車場識別情報抽出手段９３が抽出した駐車場識別情報に対し、該駐車場識別情報自体と、該駐車場識別情報の駐車場情報と、車載装置１００におけるアップリンク情報の所定欄への該駐車場識別情報の複製制御情報とを含むダウンリンク情報を生成する。送信手段９５は、生成したダウンリンク情報を所定の無線通信エリア内の車載装置１００へ送信する。
【００８４】
典型的には、アップリンク情報における所定欄は特典情報所定欄である。これに対し、駐車場識別情報抽出手段９３は、特典情報所定欄の情報を駐車場識別情報として抽出する。また、ダウンリンク情報生成手段９４は、駐車場識別情報抽出手段９３が抽出した駐車場識別情報に対し、車載装置１００におけるアップリンク情報の特典情報所定欄への該駐車場識別情報の複製制御情報を含むダウンリンク情報を生成する。
【００８５】
典型的には、ダウンリンク情報は、複数の分類情報を１つのグループとする情報グループ単位（例：図２の情報グループ）で送信される。情報グループ単位には、該ダウンリンク情報に必ず含ませる必須分類情報と、任意に含ませる任意分類情報とがある（例：図３の必須及び任意）。任意分類情報には、駐車場の動的情報を含む情報を指定する第１の任意分類情報（例：ＩＤ＝５０）と駐車場の静的情報のみを指定する第２の任意分類情報（例：ＩＤ＝５１、さらに追加的に５２）とが別々に存在する。ダウンリンク情報生成手段９４は、駐車場識別情報抽出手段９３が抽出した駐車場識別情報に対し、該駐車場識別情報の駐車場情報を第１及び第２の任意分類情報の両方に指定する。これにより、車載装置１００は、駐車場の静的情報に基づき自機の駐車場データベースを更新してから、更新後の駐車場データベースと駐車場の動的情報とに基づき該選定駐車場の情報をユーザに提示して、駐車場の動的情報の正確性を保証することができる。
【００８６】
車載装置１００は、所定の無線通信エリア内に進入するのに伴い、該路側装置９１へのアップリンク情報を無線で送信するとともに、路側装置９１からダウンリンク情報を無線で受信する。車載装置１００は、送信手段１０１、受信手段１０２、駐車場情報提示手段１０３及びアップリンク情報生成手段１０４を備える。
【００８７】
送信手段１０１は、所定欄に所定の駐車場識別情報を指定したアップリンク情報を、所定の無線通信エリアへの進入に伴い送信する。受信手段１０２は、所定の駐車場識別情報と、該所定の駐車場識別情報の駐車場情報と、アップリンク情報の所定欄への該所定の駐車場識別情報の複製制御情報とを含むダウンリンク情報を受信する。
【００８８】
駐車場情報提示手段１０３は、所定の駐車場識別情報の駐車場情報をその提示要求時にユーザに提示する。アップリンク情報生成手段１０４は、ダウンリンク情報の複製制御情報が複製実施である場合には、該ダウンリンク情報の所定の駐車場識別情報を所定欄に複製したアップリンク情報を、所定の無線通信エリアへの次回の進入時の送信用に、生成する。
【００８９】
駐車場情報提示手段１０３に対する駐車場情報の提示要求は、ダウンリンク情報の受信直後に生じる場合と、受信後、時間が経過してから生じる場合がある。後者の場合に備えて、受信した駐車場情報は記憶装置に記憶することができる。また、駐車場情報提示手段１０３に対する駐車場情報の提示要求は、車載装置１００のユーザが出す場合と、車載装置１００が所定の処理の実施に伴い、自動で出す場合とがある。
【００９０】
典型的には、所定の駐車場識別情報は、ダウンリンク情報において買物に係る特典情報を指定する特典情報欄に指定されている。また、所定欄は特典情報所定欄である。これに対応して、アップリンク情報生成手段１０４は、ダウンリンク情報の複製制御情報が複製実施である場合には、特典情報欄の情報を特典情報所定欄に複製したアップリンク情報を生成する。
【００９１】
典型的には、ダウンリンク情報は、複数の分類情報を１つのグループとする情報グループ単位で送信され、情報グループ単位には、該ダウンリンク情報に必ず含ませる必須分類情報と、任意に含ませる任意分類情報とがあり、任意分類情報には、駐車場の動的情報を含む情報を指定する第１の任意分類情報と駐車場の静的情報のみを指定する第２の任意分類情報とが別々に存在する。これに対応して、駐車場情報提示手段１０３は、第２の任意分類情報の駐車場の静的情報に基づき自機の駐車場データベースを更新してから、更新後の駐車場データベースと第１の任意分類情報の駐車場の動的情報とに基づき駐車場識別情報の駐車場情報を提示する。
【００９２】
このように、車載装置１００では、アップリンク情報における所定欄及びダウンリンク情報における複製制御情報を利用して、車載装置１００に対し、それが無線通信エリアに進入するたびに、嗜好データに係る施設の駐車場及び提携駐車場とは無関係の駐車場であってユーザにとり情報取得が有益となる駐車場の情報を繰り返し配信することが可能になる。
【００９３】
図１５は路側装置制御方法１１０のフローチャートである。路側装置制御方法１１０は路側装置９１（図１４）に適用される。路側装置制御方法１１０は、車載装置１００が無線通信エリアへ進入するのに伴い、実行される。Ｓ１１１では、アップリンク情報を受信する。Ｓ１１２では、Ｓ１１１において受信したアップリンク情報に対し、該アップリンク情報の所定欄における駐車場識別情報の有無を調べ、駐車場識別情報が有れば、Ｓ１１３へ進み、駐車場識別情報がなければ、路側装置制御方法１１０を終了する。Ｓ１１３では、駐車場識別情報を抽出する。
【００９４】
Ｓ１１４では、Ｓ１１３において抽出した駐車場識別情報に対し、該駐車場識別情報自体と、該駐車場識別情報の駐車場情報と、車載装置１００におけるアップリンク情報の所定欄への該駐車場識別情報の複製制御情報とを含むダウンリンク情報を生成する。Ｓ１１５では、生成したダウンリンク情報を所定の無線通信エリア内の車載装置１００へ送信する。
【００９５】
図１６は車載装置制御方法１２０のフローチャートである。車載装置制御方法１２０は車載装置１００（図１４）に適用される。車載装置制御方法１２０は、車載装置１００が所定の無線エリアへ進入するのに伴い、実行される。Ｓ１２３は、Ｓ１２５の後に実施することもできる。
【００９６】
Ｓ１２１では、所定欄に所定の駐車場識別情報を指定したアップリンク情報を送信する。なお、Ｓ１２１の送信では、前回の受信時に、駐車場識別情報の複製制御情報が指定されていた場合のみ、当該情報をアップリンクする。Ｓ１２２では、所定の駐車場識別情報と、該所定の駐車場識別情報の駐車場情報と、アップリンク情報の所定欄への該所定の駐車場識別情報の複製制御情報とを含むダウンリンク情報を受信する。
【００９７】
Ｓ１２３では、所定の駐車場識別情報の駐車場情報をその提示要求時にユーザに提示する。Ｓ１２４では、ダウンリンク情報の複製制御情報が複製実施であるか否かを判定し、判定が正であれば、Ｓ１２５へ進み、否であれば、車載装置制御方法１２０を終了する。Ｓ１２５では、該ダウンリンク情報の所定の駐車場識別情報を所定欄に複製したアップリンク情報を、所定の無線通信エリアへの次回の進入時の送信用に、生成する。
【００９８】
Ｓ１１１，Ｓ１１４，Ｓ１１５の処理は路側装置９１の受信手段９２、ダウンリンク情報生成手段９４及び送信手段９５の機能にそれぞれ対応している。Ｓ１１２，Ｓ１１３の処理は路側装置９１の駐車場識別情報抽出手段９３の機能に対応している。Ｓ１２１，Ｓ１２２，Ｓ１２３の処理は車載装置１００の送信手段１０１、受信手段１０２及び駐車場情報提示手段１０３の機能にそれぞれ対応している。Ｓ１２４，Ｓ１２５の機能は車載装置１００のアップリンク情報生成手段１０４の機能に対応している。路側装置９１及び車載装置１００の各手段の機能の具体的態様は、対応する各ステップの機能の具体的態様として適用可能である。
【００９９】
本発明を適用したプログラムは、コンピュータを路側装置９１又は車載装置１００の各手段として機能させる。本発明を適用した別のプログラムは、路側装置制御方法１１０又は車載装置制御方法１２０の各ステップをコンピュータに実行させる。
【０１００】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【０１０１】
９０：路車間無線通信システム、９１：路側装置、９２：受信手段、９３：駐車場ＩＤ抽出手段、９４：ダウンリンク情報生成手段、９５：送信手段、１００：車載装置、１０１：送信手段、１０２：受信手段、１０３：駐車場情報提示手段、１０４：アップリンク情報生成手段、１１０：路側装置制御方法、１２０：車載装置制御方法。
【図１】
2010238175.tif 000003
【図２】
2010238175.tif 000004
【図３】
2010238175.tif 000005
【図４】
2010238175.tif 000006
【図５】
2010238175.tif 000007
【図６】
2010238175.tif 000008
【図７】
2010238175.tif 000009
【図８】
2010238175.tif 000010
【図９】
2010238175.tif 000011
【図１０】
2010238175.tif 000012
【図１１】
2010238175.tif 000013
【図１２】
2010238175.tif 000014
【図１３】
2010238175.tif 000015
【図１４】
2010238175.tif 000016
【図１５】
2010238175.tif 000017
【図１６】
2010238175.tif 000018